(57)【特許請求の範囲】
【請求項１】
鍵に対応して設けられ、押鍵操作により変位する鍵自身または鍵に連動する部材である変位部材によって駆動され、対応する鍵の操作を検出する電子鍵盤楽器のスイッチ体であって、
基板に取り付けられるためのベース部と、
前記ベース部から周囲全体に亘って均等に立ち上がるように膨出し、前記変位部材によって駆動される弾性膨出部と、
前記基板に配設された固定接点部に対向するように、前記弾性膨出部に弾性的に少なくとも３つ設けられ、対応する固定接点部に当接することでそれぞれオン状態となる複数の可動接点部とを有し、
前記複数の可動接点部は、前記固定接点部に対する突出高さが互いに異なっていて、且つ前記固定接点部に対して対向する対向面の形状が円形であり、
前記複数の可動接点部は、押鍵往行程において、突出高さの高い順にオンとなるようオンとなる順序が決まっており、押鍵往行程において最後にオンとなる可動接点部は、それより前にオンとなる可動接点部のうち少なくとも２つの可動接点部の間の位置に配置されていることを特徴とする電子鍵盤楽器のスイッチ体。
【請求項２】
鍵に対応して設けられ、押鍵操作により変位する鍵自身または鍵に連動する部材である変位部材によって駆動され、対応する鍵の操作を検出する電子鍵盤楽器のスイッチ体であって、
基板に取り付けられるためのベース部と、
前記ベース部から周囲全体に亘って均等に立ち上がるように膨出し、前記変位部材によって駆動される弾性膨出部と、
前記基板に配設された固定接点部に対向するように、前記弾性膨出部に弾性的に少なくとも３つ設けられ、対応する固定接点部に当接することでそれぞれオン状態となる複数の可動接点部とを有し、
前記複数の可動接点部は、前記固定接点部に対する突出高さが互いに異なっていて、且つ前記固定接点部に対して対向する対向面の形状が円形であり、
前記複数の可動接点部は、押鍵往行程において、突出高さの高い順にオンとなるようオンとなる順序が決まっており、押鍵往行程において最初にオンとなる可動接点部は、それより後にオンとなる可動接点部のうち少なくとも２つの可動接点部の間の位置に配置されていることを特徴とする電子鍵盤楽器のスイッチ体。
【請求項３】
鍵に対応して設けられ、押鍵操作により変位する鍵自身または鍵に連動する部材である変位部材によって駆動され、対応する鍵の操作を検出する電子鍵盤楽器のスイッチ体であって、
基板に取り付けられるためのベース部と、
前記ベース部から周囲全体に亘って均等に立ち上がるように膨出し、前記変位部材によって駆動される弾性膨出部と、
前記基板に配設された固定接点部に対向するように、前記弾性膨出部に弾性的に少なくとも３つ設けられ、対応する固定接点部に当接することでそれぞれオン状態となる複数の可動接点部とを有し、
前記複数の可動接点部は、前記固定接点部に対する突出高さが互いに異なっていて、且つ前記固定接点部に対して対向する対向面の形状が円形であり、
前記複数の可動接点部は、押鍵往行程において、突出高さの高い順にオンとなるようオンとなる順序が決まっており、押鍵往行程において最初にオンとなる可動接点部は、それより後にオンとなる可動接点部のいずれよりも、対応する固定接点部に対向する対向面の面積が大きいことを特徴とする電子鍵盤楽器のスイッチ体。
【請求項４】
押鍵往行程において最初にオンとなる可動接点部は、それより後にオンとなる可動接点部のいずれよりも、対応する固定接点部に対向する対向面の面積が大きいことを特徴とする請求項１または２記載の電子鍵盤楽器のスイッチ体。
【請求項５】
押鍵往行程において後にオンとなる可動接点部ほど、対応する固定接点部に対向する対向面の面積が小さくなっていることを特徴とする請求項３または４記載の電子鍵盤楽器のスイッチ体。
【発明の詳細な説明】
【技術分野】
【０００１】
本発明は、鍵の操作を検出する電子鍵盤楽器のスイッチ体に関する。
【背景技術】
【０００２】
従来、電子鍵盤楽器において、押鍵操作により鍵自身やハンマ等の変位部材によって駆動されるスイッチ体が配設されたものが知られている（下記特許文献１）。この種のスイッチ体は、軟質の樹脂等で形成され、ベース部からドーム型に膨出した弾性膨出部に可動接点部が基板側に突出して設けられ、対応する基板上の固定接点部に当接することで導通（オン）状態となり、押鍵操作が検出される。
【０００３】
また、下記特許文献２に示されるように、１つのスイッチ体に可動接点部が３つ以上設けられるものでは、押鍵往行程においてオンとなる順序が決まっているものがある。そして、各可動接点部のオンにより、押鍵の有無や押鍵速度等が検出される。
【０００４】
この種のドーム型のスイッチ体は、その弾性により、駆動されて変形し、非押鍵状態となると元の形状に復帰する。その際、可動接点部も弾性膨出部にスカート部を介して弾性的に一体に設けられるので、固定接点部に当接すると弾性変形し、非押鍵状態となると元の形状に復帰する。
【先行技術文献】
【特許文献】
【０００５】
【特許文献１】特許第３３８１６０４号公報
【特許文献２】特公昭６１−５４２３４号公報
【発明の概要】
【発明が解決しようとする課題】
【０００６】
しかしながら、上記特許文献２のスイッチ体のように、可動接点部が３つ以上前後方向に一列に配置されたものでは、スイッチ体全体が縦長形状となり、横方向からの力に対しては不安定となりやすい。例えば、グリッサンド奏法のような鍵を斜め横方向に弾く場合は、可動接点部が傾きやすい。
【０００７】
スイッチ体全体が縦長であって、しかも押鍵往行程において奏者側の可動接点部から順にオンしていくため、駆動途中でスイッチ体に横方向の力が加わっていると、スイッチ体が変形しやすい。そのため、押鍵往行程において最後にオンする可動接点部が実際にオンする段階でその可動接点部が固定接点部に正対しないことが生じ得る。すると、固定接点部に適切に当接せず、スイッチ動作が不安定になる。例えば、接点時間差方式のタッチレスポンススイッチにおいては、同一の押鍵強さであってもベロシティデータの値がその時々で異なるという不都合が発生することがある。
【０００８】
一方、最初にオンする可動接点部は最も奏者側に位置するため、一時的に荷重バランスが奏者側に偏り、特に強押鍵時にスイッチ動作が不安定となる。また、最初にオンする可動接点部はストロークが長いこともあって、それ自体傾きやすく、スイッチ動作が不安定となる。
【０００９】
このようにスイッチ動作が不安定になると、チャタリングが生じやすく、鍵操作の正確な検出が困難となる場合がある。
【００１０】
本発明は上記従来技術の問題を解決するためになされたものであり、その目的は、スイッチ動作の安定化を図り、鍵操作の検出精度を高めることができる電子鍵盤楽器のスイッチ体を提供することにある。
【課題を解決するための手段】
【００１１】
上記目的を達成するために本発明の請求項１の電子鍵盤楽器のスイッチ体は、押鍵操作により変位する鍵自身または鍵に連動する部材である変位部材によって駆動され、対応する鍵の操作を検出する電子鍵盤楽器のスイッチ体であって、基板に取り付けられるためのベース部と、前記ベース部から周囲全体に亘って均等に立ち上がるように膨出し、前記変位部材によって駆動される弾性膨出部と、前記基板に配設された固定接点部に対向するように、前記弾性膨出部に弾性的に少なくとも３つ設けられ、対応する固定接点部に当接することでそれぞれオン状態となる複数の可動接点部とを有し、前記複数の可動接点部は、前記固定接点部に対する突出高さが互いに異なっていて、且つ前記固定接点部に対して対向する対向面の形状が円形であり、前記複数の可動接点部は、押鍵往行程において、突出高さの高い順にオンとなるようオンとなる順序が決まっており、押鍵往行程において最後にオンとなる可動接点部は、それより前にオンとなる可動接点部のうち少なくとも２つの可動接点部の間の位置に配置されていることを特徴とする。
【００１２】
上記目的を達成するために本発明の請求項２の電子鍵盤楽器のスイッチ体は、鍵に対応して設けられ、押鍵操作により変位する鍵自身または鍵に連動する部材である変位部材によって駆動され、対応する鍵の操作を検出する電子鍵盤楽器のスイッチ体であって、基板に取り付けられるためのベース部と、前記ベース部から周囲全体に亘って均等に立ち上がるように膨出し、前記変位部材によって駆動される弾性膨出部と、前記基板に配設された固定接点部に対向するように、前記弾性膨出部に弾性的に少なくとも３つ設けられ、対応する固定接点部に当接することでそれぞれオン状態となる複数の可動接点部とを有し、前記複数の可動接点部は、前記固定接点部に対する突出高さが互いに異なっていて、且つ前記固定接点部に対して対向する対向面の形状が円形であり、前記複数の可動接点部は、押鍵往行程において、突出高さの高い順にオンとなるようオンとなる順序が決まっており、押鍵往行程において最初にオンとなる可動接点部は、それより後にオンとなる可動接点部のうち少なくとも２つの可動接点部の間の位置に配置されていることを特徴とする。
【００１３】
上記目的を達成するために本発明の請求項３の電子鍵盤楽器のスイッチ体は、鍵に対応して設けられ、押鍵操作により変位する鍵自身または鍵に連動する部材である変位部材によって駆動され、対応する鍵の操作を検出する電子鍵盤楽器のスイッチ体であって、基板に取り付けられるためのベース部と、前記ベース部から周囲全体に亘って均等に立ち上がるように膨出し、前記変位部材によって駆動される弾性膨出部と、前記基板に配設された固定接点部に対向するように、前記弾性膨出部に弾性的に少なくとも３つ設けられ、対応する固定接点部に当接することでそれぞれオン状態となる複数の可動接点部とを有し、前記複数の可動接点部は、前記固定接点部に対する突出高さが互いに異なっていて、且つ前記固定接点部に対して対向する対向面の形状が円形であり、前記複数の可動接点部は、押鍵往行程において、突出高さの高い順にオンとなるようオンとなる順序が決まっており、押鍵往行程において最初にオンとなる可動接点部は、それより後にオンとなる可動接点部のいずれよりも、対応する固定接点部に対向する対向面の面積が大きいことを特徴とする。
【００１４】
好ましくは、押鍵往行程において最初にオンとなる可動接点部は、それより後にオンとなる可動接点部のいずれよりも、対応する固定接点部に対向する対向面の面積が大きい（請求項４）。好ましくは、押鍵往行程において後にオンとなる可動接点部ほど、対応する固定接点部に対向する対向面の面積が小さくなっている（請求項５）。
【００１５】
なお、上記括弧内の符号は例示である。
【発明の効果】
【００１６】
本発明の請求項１、２、３によれば、スイッチ動作の安定化を図り、鍵操作の検出精度を高めることができる。
【００１７】
請求項４によれば、ストロークの大きい最初にオンとなる可動接点部が傾くことなく安定して固定接点部に当接するので、動作が安定する。
【００１８】
請求項５によれば、スイッチ体を一層小型化することができる。
【図面の簡単な説明】
【００１９】
【図１】本発明の第１の実施の形態に係るスイッチ体が適用される電子鍵盤楽器の１つの鍵に着目した模式的な側面図である。
【図２】第１、第２の実施の形態に係るスイッチ体の縦断面図、裏面図である。
【図３】変形例における１つのスイッチ体における可動接点部の配置とオンの順番とを模式的に示す図である。
【発明を実施するための形態】
【００２０】
以下、本発明の実施の形態を図面を参照して説明する。
【００２１】
（第１の実施の形態）
図１（ａ）は、本発明の第１の実施の形態に係るスイッチ体が適用される電子鍵盤楽器の１つの鍵に着目した模式的な側面図である。
【００２２】
本電子鍵盤楽器には、基板１２、鍵１０、制御部１９、楽音発生部９、スイッチ体ＳＷが設けられている。全体の図示はしないが、鍵１０には白鍵１０Ｗと黒鍵１０Ｂとがあり、奏者からみて左右方向に複数の鍵１０が並列配置される。鍵１０は、いずれも同様に構成され、後部の鍵支点１１を中心に前端部（図１（ａ）の左端部）が上下方向（図１（ａ）の時計及び反時計方向）に揺動（回動）自在にされている。鍵１０は、前端部が常に上方に付勢されると共に、非押鍵状態では不図示のストッパに係合して図１（ａ）に示す初期位置に規制される。鍵１０は、初期位置において前端部が押下されると前端部が下方に変位する。
【００２３】
スイッチ体ＳＷは、各鍵１０に対応して基板１２上に配設され、対応する鍵１０によって駆動されて、検出信号を制御部１９に供給する。制御部１９及び楽音発生部９は鍵盤楽器に１つずつ設けられる。制御部１９は、個々には図示しないが、ＣＰＵ、ＲＯＭ、ＲＡＭ、タイマ、記憶装置、各種インターフェイス等を備え、ＲＯＭに記憶されたプログラムに従って、ＣＰＵが楽器全体の動作を制御する。楽音発生部９は、個々には図示しないが、音源回路、効果回路、サウンドシステム等を備え、制御部１９による制御に従って、音響を発生させる。本実施の形態では、スイッチ体ＳＷにより検出される押鍵操作された鍵１０に対応する楽音が発生する。
【００２４】
本実施の形態では、スイッチ体ＳＷが鍵１０によって駆動される構成を例示するが、これに限られない。スイッチ体ＳＷは、押鍵操作により変位する変位部材によって駆動されればよく、その変位部材は鍵１０自身でもよいし、鍵１０に連動する部材であってもよい。例えば、図１（ｂ）に示すように、変位部材はハンマ１５であってもよい。また、鍵１０と変位部材との間に介在部材があってもよい。
【００２５】
すなわち、図１（ｂ）に示す例では、鍵１０の下方にはハンマ１５が対応して配設される。ハンマ１５は、鍵１０の配列方向に並列に鍵数分配列される。各ハンマ１５は、ハンマ支点１４を中心に図１（ｂ）の時計及び反時計方向に回動自在になっている。鍵支点１１、ハンマ支点１４の前後方向の位置はそれぞれ共通とする。
【００２６】
ハンマ１５の前端部と鍵１０の前端部とは回動軸１３で回動自在に連結されている。従って、押離鍵操作により鍵１０が回動するのに連動して対応するハンマ１５が回動する。ハンマ１５の後端部に質量が集中するようになっている。自由状態では、ハンマ１５は、鍵１０を図１（ｂ）の時計方向に付勢するように配設されている。ハンマ１５が有する質量によって、押鍵操作に対して慣性力が付与され、生ピアノのような押鍵感触が得られる。スイッチ体ＳＷは、ハンマ１５の駆動部１６によって駆動される。
【００２７】
次に、スイッチ体ＳＷの構成を説明する。各スイッチ体ＳＷは同様に構成されるので、代表として１つのスイッチ体ＳＷの構成を説明する。図２（ａ）、（ｂ）は、スイッチ体ＳＷの縦断面図、裏面図である。図２（ａ）、（ｂ）において、図の上側が後方、すなわち、鍵支点１１がある側であり、図の下側が奏者側（前方）である。以降、鍵１０の長手方向を前後方向とも称し、奏者からみて鍵支点１１がある側を後方と称する。
【００２８】
スイッチ体ＳＷは、可動接点部と固定接点部との組み合わせが３つ以上である３メイク式以上の構成が採用されるが、図２（ａ）の例では３メイク式が例示されている。すなわち、スイッチ体ＳＷは、ゴム等の弾性部材で一体に構成された接点時間差タイプの３メイク式タッチレスポンススイッチである。
【００２９】
図２（ａ）、（ｂ）に示すように、スイッチ体ＳＷは、ベース部２１を有し、ベース部２１が基板１２に固着等によって取り付けられている。スイッチ体ＳＷにおいて、ベース部２１からは、上方にドーム状に膨出した弾性膨出部２２が形成される。弾性膨出部２２は、ベース部２１から延設され弾性変形しやすいスカート部２６を有する。弾性膨出部２２の上面に鍵１０が当接しており、押鍵操作されると弾性膨出部２２が下方に駆動される。
【００３０】
弾性膨出部２２の内側には、弾性膨出部２２から下方（基板１２側）にドーム状に膨出した可動接点部２５（２５Ａ、２５Ｂ、２５Ｃ）が３つ設けられている。可動接点部２５は、弾性膨出部２２において、弾性変形しやすいスカート部２４（２４Ａ、２４Ｂ、２４Ｃ）を介して弾性的に接続され、個々に変形できるようになっている。各可動接点部２５の最下部には、基板１２に平行な可動接点が設けられており、これら可動接点は、カーボンインク等の導電性材料でなる。
【００３１】
また、基板１２の上面には、一対の櫛歯状電極（詳細は図示せず）で構成された固定接点部１７（１７Ａ、１７Ｂ、１７Ｃ）が敷設され、可動接点部２５Ａ、２５Ｂ、２５Ｃと固定接点部１７Ａ、１７Ｂ、１７Ｃとがそれぞれ対向している。
【００３２】
非押鍵状態において、可動接点部２５の基板１２側への突出高さは、高い順に可動接点部２５Ａ、２５Ｃ、２５Ｂとなっている。つまり、可動接点部２５Ａが最も基板１２に近い。可動接点部２５の固定接点部１７に対向する面は円形である。
【００３３】
各可動接点部２５は、対応する固定接点部１７に当接することでそれぞれオン状態となる。ここで、上記した突出高さの設定によって、可動接点部２５は、押鍵往行程においてオンとなる順序が決まっており、早くオンするものから順に、可動接点部２５Ａ、２５Ｃ、２５Ｂとなっている。一方、離鍵行程においては、早くオフするものから順に、可動接点部２５Ｂ、２５Ｃ、２５Ａとなる。
【００３４】
各可動接点部２５のオン、オフの検出信号による楽音制御の態様は問わない。一例としては、押鍵往行程において、可動接点部２５Ａのオンから可動接点部２５Ｃのオンまでの時間で押鍵ベロシティを設定し、可動接点部２５Ｂのオンを発音のトリガとする。離鍵行程においては、可動接点部２５Ｂのオフから可動接点部２５Ｃのオフまでの時間で離鍵ベロシティを設定し、可動接点部２５Ａのオフを消音のトリガとする。
【００３５】
ここで、前後方向の位置関係をみると、可動接点部２５Ｂは、それより前にオンとなる可動接点部２５Ａと可動接点部２５Ｃとの間の位置に配置されている。押鍵往行程において奏者側の可動接点部から順にオンしていくような従来の構成であるとすると、スイッチ体ＳＷ全体が縦長であることから、鍵を斜め横方向に弾く演奏等によって、駆動途中でスイッチ体ＳＷに横方向の力が加わることで変形しやすい。その結果、最後にオンする可動接点部が実際にオンする段階でその可動接点部が固定接点部に正対せず、固定接点部に適切に当接しない場合があり得る。
【００３６】
しかし、本実施の形態では、押鍵往行程において最後にオンする可動接点部２５Ｂが真ん中に位置するので、前側、後側の可動接点部２５Ａ、２５Ｃがオンして状態が安定した段階で可動接点部２５Ｂがオンする。従って、可動接点部２５Ｂの挙動が安定し、固定接点部１７Ｂに適切に当接する。
【００３７】
ところで、押鍵往行程において最初にオンとなる可動接点部２５Ａの面積（固定接点部１７Ａに対向する面の面積）は、可動接点部２５Ｂ、２５Ｃの面積よりも大きく設定されている。それに伴い、スカート部２４についても、スカート部２４Ａが、スカート部２４Ｂ、２４Ｃよりも大きく設計されている。最初にオンとなる可動接点部２５Ａは、ストロークが長いことから、同じ面積でストロークが短い可動接点部に比べれば変形途中で傾きやすく、スイッチ動作が不安定となりがちである。しかし、可動接点部２５Ａは面積が大きいことで、動作が安定するという効果がある。
【００３８】
本実施の形態によれば、可動接点部２５Ｂが可動接点部２５Ａ、２５Ｃの間に配置されたので、スイッチ動作の安定化を図り、鍵操作の検出精度を高めることができる。
【００３９】
また、押鍵往行程において最初にオンとなる可動接点部２５Ａの面積が、それより後にオンとなる可動接点部２５Ｂ、２５Ｃよりも大きいので、この点からも、スイッチ動作の安定化を図り、鍵操作の検出精度を高めることができる。また、後にオンとなる可動接点部２５Ｂ、２５Ｃについては、スカート部２４Ｂ、２４Ｃの大きさをスカート部２４Ａよりも小さく設計できるので、無用に大きくなってしまうことがなく、スイッチ体ＳＷ全体の小型化に寄与する。
【００４０】
（第２の実施の形態）
図２（ｃ）、（ｄ）は、本発明の第２の実施の形態に係るスイッチ体の縦断面図、裏面図であり、図２（ａ）、（ｂ）に対応している。
【００４１】
第１の実施の形態では、スイッチ体ＳＷの可動接点部２５は、押鍵往行程においてオンとなる順序が、早くオンするものから順に、可動接点部２５Ａ、２５Ｃ、２５Ｂとなっていた。これに対し、本第２の実施の形態では、図２（ｃ）に示すように、早くオンするものから順に、可動接点部２５Ｂ、２５Ａ、２５Ｃとなっている。前後方向の配列順は第１の実施の形態と同じである。その他の構成は第１の実施の形態と同様である。
【００４２】
従って、前後方向の位置関係をみると、最初にオンする可動接点部２５Ｂが、それより後にオンとなる可動接点部２５Ａと可動接点部２５Ｃとの間の位置に配置されている。また、可動接点部２５の面積については、最初にオンとなる可動接点部２５Ｂの面積が、それより後にオンとなる可動接点部２５Ａ、２５Ｃよりも大きくなっている。それに伴い、スカート部２４Ｂが、スカート部２４Ａ、２４Ｃよりも大きく設計されている。
【００４３】
本実施の形態によれば、最初にオンする可動接点部２５Ｂが真ん中に位置するため、押鍵往行程において荷重バランスが奏者側または後側に一時的に偏ることが回避される。すなわち、可動接点部２５Ｂと固定接点部１７Ｂとの当接によって、押鍵途中の状態で仮固定のような状態となり、その後の可動接点部２５と固定接点部１７とのスイッチング動作が正確になされるようになる。これにより、強押鍵時にもスイッチ動作が安定となる。また、押鍵往行程において最初にオンとなる可動接点部２５Ｂの面積が、それより後にオンとなる可動接点部２５Ａ、２５Ｃよりも大きい。よって、スイッチ動作の安定化を図り、鍵操作の検出精度を高めること、及びスイッチ体ＳＷ全体の小型化に関し、第１の実施の形態と同様の効果を奏することができる。
【００４４】
ところで、上記第１、第２の実施の形態では、可動接点部２５が３つの構成を例示した。しかし、可動接点部２５の数は４つ以上であってもよい。その場合、スイッチ動作の安定化を図る観点からは、押鍵往行程において最後にオンとなる可動接点部が、それより前にオンとなる可動接点部のうち少なくとも２つの可動接点部の間の位置に配置されればよい。あるいは、押鍵往行程において最初にオンとなる可動接点部が、それより後にオンとなる可動接点部のうち少なくとも２つの可動接点部の間の位置に配置されればよい。つまり、最初または最後にオンする可動接点部が、最前端または最後端のいずれの可動接点部にも該当しないように配設すればよい。
【００４５】
ここでいう「間の位置」とは、スイッチ体ＳＷの形状の長手方向の位置関係における間の位置である。従って、必ずしも可動接点部が一直線に並んでいなくてもよい。例えば、前後方向に沿って、各可動接点部の鍵並び方向の位置が少しずれていてもよく、千鳥配置となっていてもよい。
【００４６】
図３（ａ）〜（ｅ）は、１つのスイッチ体ＳＷにおける可動接点部２５の配置とオンの順番とを模式的に示す図である。可動接点部２５が前後方向に直線上に配置される。これらの図において、番号は押鍵往行程においてオンする順番を表し、大きさは、可動接点部２５の、対応する固定接点部１７に対向する面の面積を表している。
【００４７】
例えば、図３（ａ）に示す例では、最後である４番目にオンする可動接点部２５は、２番目と３番目にオンする可動接点部２５の間に位置する。また、４番目にオンする可動接点部２５は、１番目と２番目にオンする可動接点部２５の間に位置するともいえる。図３（ｂ）に示す例では、最後である５番目にオンする可動接点部２５は、１番目（または３番目）と４番目（または２番目）にオンする可動接点部２５の間に位置する。
【００４８】
また、図３（ｃ）に示す例では、最初である１番目にオンする可動接点部２５は、３番目と４番目（または２番目）にオンする可動接点部２５の間に位置する。図３（ｄ）に示す例では、１番目にオンする可動接点部２５は、２番目（または４番目）と３番目（または５番目）にオンする可動接点部２５の間に位置する。
【００４９】
図３（ｅ）に示す例では、１番目にオンする可動接点部２５は、２番目（または４番目）と３番目にオンする可動接点部２５の間に位置する。
【００５０】
ところで、上記各実施の形態では、可動接点部２５の、固定接点部１７に対向する面の面積は、最初にオンするものが他よりも大きい。図３（ａ）〜（ｅ）の例でもそのようになっている。ただし、図３（ｅ）に示すように、押鍵往行程において後にオンとなる可動接点部２５ほど、対応する固定接点部１７に対向する面の面積が小さくなるように設計してもよい。特に、図３（ｂ）〜（ｅ）の例では、前後方向における端ではなく中間で、可動接点部２５と固定接点部１７との当接によって、押鍵途中の状態で仮固定のような状態となるため、その後の可動接点部２５と固定接点部１７とのスイッチング動作が正確になされる。従って、後にオンする可動接点部２５の面積が小さくても安定した動作が確保される。また、後にオンする可動接点部２５ほどストロークが短くて済むので、スカート部２４の寸法も最小限まで詰めて小さく設計できる。そのようにすれば、スイッチ体を一層小型化することができ、押鍵往行程後半の反力の急上昇を抑制して押鍵感触の向上にも繋がる。
【符号の説明】
【００５１】
１０  鍵（変位部材）、  １２  基板、  １５  ハンマ（変位部材）、  １７  固定接点部、  ２１  ベース部、  ２２  弾性膨出部、  ２５  可動接点部、  ＳＷ  スイッチ体
【図１】
0005771924.tif 000002
【図２】
0005771924.tif 000003
【図３】
0005771924.tif 000004